(57)【要約】      （修正有）【課題】人体の各部分に対して良好な換気効果を享受できる空気循環機能付き人体カバーを提供する。【解決手段】睡眠中または活動中に人体に着用される空気循環機能付き人体カバーであって、人体を覆うためのチャンバを有するかまたは形成することができるカバー本体１を含み、チャンバは開口部１４１を有し、カバー本体には、チャンバと外部との間の空気の循環を促進する換気装置が設けられる。【選択図】図１
0003224227.tif 000002
【実用新案登録請求の範囲】
【請求項１】
人体を覆うためのチャンバ（１１）を有するかまたは形成することができるカバー本体（１）を含み、前記チャンバ（１１）は開口部（１４１）を有し、
前記カバー本体（１）には、チャンバ（１１）と外部との間の空気の循環を促進する換気装置（２）が設けられることを特徴とする空気循環機能付き人体カバー。
【請求項２】
前記換気装置（２）は外気を前記チャンバ（１１）に導入できることを特徴とする請求項１に記載の空気循環機能付き人体カバー。
【請求項３】
前記カバー本体（１）は、使用状態で人体の上方に位置する正面部分（１１４）を含み、前記換気装置（２）の導風方向は前記正面部分（１１４）に面することを特徴とする請求項２に記載の空気循環機能付き人体カバー。
【請求項４】
前記換気装置（２）は、前記チャンバ（１１）内の空気を前記チャンバ（１１）外に引き出すことができることを特徴とする請求項１に記載の空気循環機能付き人体カバー。
【請求項５】
前記人体カバーは寝袋であり、前記カバー本体（１）は、底部（１２）と、中央部（１３）と、頂部（１４）とを含み、前記開口部（１４１）は前記頂部（１４）に設けられ、前記換気装置（２）は前記底部（１２）に設けられることを特徴とする請求項１から４のいずれか一項に記載の空気循環機能付き人体カバー。
【請求項６】
前記底部（１２）は、人体の足裏部分に面する底部本体部と、人体の足側部に面する底部側辺（１２２）とを含み、
前記底部本体部は、底部本体中央部（１２１１）と、前記底部本体中央部（１２１１）の両側にそれぞれ位置する底部本体側辺（１２１２）とを含み、
前記換気装置（２）が前記底部本体中央部（１２１１）に設けられることを特徴とする請求項５に記載の空気循環機能付き人体カバー。
【請求項７】
前記底部（１２）は、人体の足裏部分に面する底部本体部と、人体の足側部に面する底部側辺（１２２）とを含み、
前記底部本体部は、底部本体中央部（１２１１）と、前記底部本体中央部（１２１１）の両側にそれぞれ位置する底部本体側辺（１２１２）とを含み、
前記換気装置（２）は前記底部本体側辺（１２１２）に設けられることを特徴とする請求項５に記載の空気循環機能付き人体カバー。
【請求項８】
前記底部（１２）は、人体の足裏部分に面する底部本体部と、人体の足側部に面する底部側辺（１２２）とを含み、
前記換気装置（２）は前記底部側辺（１２２）に設けられることを特徴とする請求項５に記載の空気循環機能付き人体カバー。
【請求項９】
前記底部（１２）は、人体の足裏部分に面する底部本体部と、人体の足側部に面する底部側辺（１２２）とを含み、
前記底部本体部と前記底部側辺（１２２）によって底部交差部（１２３）が形成され、
前記換気装置（２）は前記底部交差部（１２３）に設けられることを特徴とする請求項５に記載の空気循環機能付き人体カバー。
【請求項１０】
前記人体カバーは寝袋であり、前記カバー本体（１）は、底部（１２）と、中央部（１３）と、頂部（１４）とを含み、前記開口部（１４１）は前記頂部（１４）に設けられ、前記換気装置（２）は前記中央部（１３）に設けられることを特徴とする請求項１から４のいずれか一項に記載の空気循環機能付き人体カバー。
【請求項１１】
前記カバー本体（１）には、前記換気装置（２）を取り付けるための接続口（１５）が設けられ、前記接続口（１５）の縁部には、前記接続口（１５）を前記換気装置（２）の周面に締め付けるための弾性リング（１６）が設けられることを特徴とする請求項１に記載の空気循環機能付き人体カバー。
【請求項１２】
前記換気装置（２）には、前記弾性リング（１６）を取り付けるためのバックル溝が設けられることを特徴とする請求項１１に記載の空気循環機能付き人体カバー。
【請求項１３】
前記換気装置（２）は、ハウジング（２１）と、前記ハウジング（２１）に設けられ前記接続口（１５）をクランプできるクランプ構造とを含み、前記クランプ構造は、前記ハウジング（２１）に固定接続された固定片（２２１）と、前記ハウジング（２１）に可動に接続され、前記固定片（２２１）と組み合わせて前記接続口（１５）をクランプするための可動片（２２２）と、前記ハウジング（２１）に設けられ、前記可動片（２２２）が前記固定片（２２１）から逸脱するのを防止するための位置決め構造とを含むことを特徴とする請求項１１に記載の空気循環機能付き人体カバー。
【請求項１４】
前記カバー本体（１）には、前記換気装置（２）を取り付けるための接続口（１５）が設けられ、前記換気装置（２）は、ハウジング（２１）と、前記ハウジング（２１）に設けられ前記接続口（１５）をクランプできるクランプ構造とを含み、前記クランプ構造は、前記ハウジング（２１）に固定接続された固定片（２２１）と、前記ハウジング（２１）に可動に接続され、前記固定片（２２１）と組み合わせて前記接続口（１５）をクランプするための可動片（２２２）と、前記ハウジング（２１）に設けられ、前記可動片（２２２）が前記固定片（２２１）から逸脱するのを防止するための位置決め構造とを含むことを特徴とする請求項１に記載の空気循環機能付き人体カバー。
【請求項１５】
前記位置決め構造は雄ねじであり、前記可動片（２２２）には前記雄ねじと係合する雌ねじが設けられることを特徴とする請求項１３または１４に記載の空気循環機能付き人体カバー。
【請求項１６】
前記可動片（２２２）に面する前記固定片（２２１）の表面には、長手方向が前記固定片（２２１）内部に向けられたリブ（２２１１）が設けられることを特徴とする請求項１５に記載の空気循環機能付き人体カバー。
【請求項１７】
空気循環機能付き人体カバーのカバー本体であって、前記カバー本体（１）は、人体を覆うためのチャンバ（１１）を有するかまたは形成することができ、前記チャンバ（１１）を有するかまたは形成した後、底部（１２）、中央部（１３）、頂部（１４）に分けられ、前記頂部（１４）に開口部（１４１）が設けられ、
前記底部（１２）は、人体の足裏部分に面する底部本体部と、人体の足側部に面する底部側辺（１２２）とを含み、
前記底部本体部と前記底部側辺（１２２）によって底部交差部（１２３）が形成され、
前記底部本体部は、底部本体中央部（１２１１）と、前記底部本体中央部（１２１１）の両側にそれぞれ位置する底部本体側辺（１２１２）とを含み、
前記底部本体中央部（１２１１）または前記底部本体側辺（１２１２）または前記底部側辺（１２２）または前記底部交差部（１２３）または前記中央部（１３）には、換気装置（２）を取り付けるための接続口（１５）が設けられることを特徴とする空気循環機能付き人体カバーのカバー本体。
【請求項１８】
前記接続口（１５）の縁部には、前記接続口（１５）を内側に締め付ける傾向を生じさせる弾性リング（１６）が設けられることを特徴とする請求項１７に記載の空気循環機能付き人体カバーのカバー本体。
【請求項１９】
ハウジング（２１）と、前記ハウジング（２１）に設けられ接続口（１５）をクランプできるクランプ構造とを含み、前記クランプ構造は、前記ハウジング（２１）に固定接続された固定片（２２１）と、前記ハウジング（２１）に可動に接続された可動片（２２２）と、前記ハウジング（２１）に設けられ前記可動片（２２２）が前記固定片（２２１）から逸脱するのを防止するための位置決め構造とを含み、前記固定片（２２１）と前記可動片（２２２）と間にクランプ領域が形成されることを特徴とする空気循環機能付き人体カバーの換気装置。
【請求項２０】
前記位置決め構造は雄ねじであり、前記可動片（２２２）には、前記雄ねじと係合する雌ねじが設けられることを特徴とする請求項１９に記載の空気循環機能付き人体カバーの換気装置。
【請求項２１】
ハウジング（２１）を含み、前記ハウジング（２１）には、周方向にバックル溝が設けられることを特徴とする空気循環機能付き人体カバーの換気装置。
【考案の詳細な説明】
【技術分野】
【０００１】
本考案は、睡眠中または活動中に人体に着用される物、特に空気循環機能付き人体カバーに関する。
【背景技術】
【０００２】
特に睡眠中に、エアコンを使用したくない人がいる。扇風機を使用する場合、通常、局所的に風量が大きく、特に体が布団などで覆われている場合に、覆われた部分に対して、常に良好な換気効果を享受することは難しい。
【考案の概要】
【考案が解決しようとする課題】
【０００３】
本考案の第１の目的は、人体のあらゆる部分に対して可能な限り良好な換気効果を享受できる空気循環機能付き人体カバーを提供することである。
【課題を解決するための手段】
【０００４】
上記の考案の目的を実現するために、本考案は以下の技術的解決手段を提供する。
空気循環機能付き人体カバーは、人体を覆うためのチャンバを有するかまたは形成することができるカバー本体を含み、上記チャンバには開口部があって、上記カバー本体には、チャンバと外部との間の空気の循環を促進する換気装置が設けられる。
【０００５】
カバー本体は、人体に適用されない場合、複数のシートまたは単一のシートの形態であってもよく、上記のチャンバを形成する必要がある場合、閉鎖と接続などの動作によって上記チャンバを形成する。カバー本体はまた、閉鎖と接続などの動作なしに上記チャンバを有してもよい。換気装置は、チャンバ内の空気が外部と直接連通し、且つ強力な空気の循環性を生成できるように設置されているため、チャンバ全体に効果があり、それにより、チャンバ内に位置する人体のすべての部分に対して可能な限り良好な換気効果を享受することができる。
【０００６】
本考案の好ましい態様として、上記換気装置は外気を上記チャンバに導入できる。
通常、カバー本体は柔軟な素材であり、ほとんどの場合、主に布が使用される。外気がチャンバに導入されると、カバー本体が浮いた状態になり、さらに、浮いた状態に向いた体の各部分が空気流に置かれ、より快適に感じられ、チャンバ内の空気の流れを強化し、さらに体の各部分に良好な空気の循環を享受することに役立つ。
【０００７】
本考案の好ましい態様として、上記カバー本体は、使用状態で人体の上方に位置する正面部分を含み、上記換気装置の導風方向は上記正面部分に面する。
使用状態とは、人体がチャンバ内に位置する状態を指し、導風方向が上記正面部分を向いており、換気装置からの風が人体に直接吹き付けられるのを可能な限り防ぐとともに、人体に接触する風を自然風に近づける。
【０００８】
本考案の好ましい態様として、上記換気装置は少なくとも２つを有する。
本考案の好ましい態様として、上記換気装置は上記チャンバ内の空気を上記チャンバ外に引き出すことができる。
空気流が開口部から導入され、換気装置によってチャンバ外へ導出され、チャンバと外気との循環を促進する。
本考案の好ましい態様として、当該人体カバーは寝袋であり、上記カバー本体は底部と、中央部と、頂部とを含み、上記開口部は上記頂部に設けられ、上記換気装置は上記底部に設けられる。
【０００９】
換気装置の設置場所から開口部の設置場所への方向は、つまり人体の足から頭部への方向であり、換気装置は、チャンバ内の空気全体の流れが人体の足から頭部へ流れるように底部に設置され、チャンバ内の空気流はチャンバの各部で比較的均一であり、それにより、人体の各部に対して良好な空気の循環効果を享受することに役立つ。
【００１０】
本考案の好ましい態様として、上記底部は、人体の足裏部分に面する底部本体部と、人体の足側部に面する底部側辺とを含む。
上記底部本体部は、底部本体中央部と、上記底部本体の中央部の両側にそれぞれ位置する底部本体側辺とを含む。
上記換気装置は、上記底部本体の中央部に設けられる。
【００１１】
本考案の好ましい態様として、上記底部は、人体の足裏部分に面する底部本体部と、人体の足側部に面する底部側辺とを含む。
上記底部本体部は、底部本体の中央部と、上記底部本体の中央部の両側にそれぞれ位置する底部本体側辺とを含む。
上記換気装置は上記底部本体側辺に設けられる。
人体の足裏部分に直接吹き付けられるのを可能な限り防止する。
【００１２】
本考案の好ましい態様として、上記底部は、人体の足裏部分に面する底部本体部と、人体の足側部に面する底部側辺とを含む。
上記換気装置は上記底部側辺に設けられる。
本考案の好ましい態様として、上記底部は、人体の足裏部分に面する底部本体部と、人体の足側部に面する底部側辺とを含む。
上記底部本体部と上記底部側辺によって底部交差部が形成される。
上記換気装置は上記底部交差部に設けられる。
人体の足裏部分に直接吹き付けられるのを可能な限り防止する。
【００１３】
本考案の好ましい態様として、当該人体カバーは寝袋であり、上記カバー本体は底部と、中央部と、頂部とを含み、上記開口部は上記頂部に設けられ、上記換気装置は上記中央部に設けられる。
本考案の好ましい態様として、上記カバー本体には上記換気装置を取り付けるための接続口が設けられ、上記接続口の縁部には上記接続口を上記換気装置の周面に締め付けるための弾性リングが設けられる。
このような換気装置およびカバー本体は、簡単で実用的であり、実現しやすい。
【００１４】
本考案の好ましい態様として、上記換気装置には上記弾性リングを取り付けるためのバックル溝が設けられる。
換気装置とカバー本体との間の接続関係がさらに強化される。
【００１５】
本考案の好ましい態様として、上記換気装置は、ハウジングと、上記ハウジングに設けられ上記接続口をクランプできるクランプ構造とを含み、上記クランプ構造は、上記ハウジングに固定接続された固定片と、上記ハウジングに可動に接続され、上記固定片と係合して上記接続口をクランプするための可動片と、上記ハウジングに設けられ、上記可動片が上記固定片から逸脱するのを防止するための位置決め構造と、を含む。
換気装置とカバー本体との間の接続関係がさらに強化され、可動片とハウジングの可動接続形態はチャック型やねじ型などの様々な形態であってもよい。
【００１６】
本考案の好ましい態様として、上記カバー本体には上記換気装置を取り付けるための接続口が設けられ、上記換気装置は、ハウジングと、上記ハウジングに設けられ上記接続口をクランプできるクランプ構造とを含み、上記クランプ構造は、上記ハウジングに固定接続された固定片と、上記ハウジングに可動に接続され、上記固定片と係合して上記接続口をクランプするための可動片と、上記ハウジングに設けられ、上記可動片が上記固定片から逸脱するのを防止するための位置決め構造と、を含む。
【００１７】
可動片と固定片を接続口の縁部にクランプする方法によって、換気装置とカバー本体との接続が実現される。可動片とハウジングとの可動接続形態はチャック型やねじ型などの様々な形態であってもよい
本考案の好ましい態様として、上記位置決め構造は雄ねじであり、上記可動片には上記雄ねじと係合する雌ねじが設けられる。
本考案の好ましい態様として、上記可動片に面する上記固定片の表面には、長手方向が上記固定片内部に向けられたリブが設けられる。
カバー本体に換気装置をより良く固定するために、固定片と接続口の縁部との間の摩擦を強化することに役立つ。
【００１８】
本考案の別の目的は、空気循環機能付き人体カバーのカバー本体を提供することであり、これは、換気装置と組み合わせて使用し、人体のあらゆる部分に対して可能な限り良好な換気効果を享受できる。
上記の考案の目的を実現するために、本考案は以下の技術的解決手段を提供する。
【００１９】
空気循環機能付き人体カバーのカバー本体は、人体を覆うためのチャンバを有するかまたは形成することができ、上記チャンバを有するかまたは形成した後、底部、中央部、頂部に分けられ、上記頂部に開口部が設けられる。
上記底部は、人体の足裏部分に面する底部本体部と、人体の足側部に面する底部側辺とを含む。
上記底部本体部と上記底部側辺によって底部交差部が形成される。
上記底部本体部は、底部本体中央部と、上記底部本体中央部の両側にそれぞれ位置する底部本体側辺とを含む。
上記底部本体中央部または上記底部本体側辺または上記底部側辺または上記底部交差部または上記中央部には、換気装置を取り付けるための接続口が設けられる。
換気装置と組み合わせて使用する場合、使用中にチャンバの内外の空気の循環を強化し、人体の各部分に対して可能な限り良好な換気効果を享受することに役立つ。
【００２０】
本考案の好ましい態様として、上記接続口の縁部には、上記接続口を内側に締め付ける傾向を生じさせる弾性リングが設けられる。
換気装置を取り付ける時、接続口を換気装置のハウジングに締め付けることができる。
本考案の更なる目的は、空気循環機能付き人体カバーの換気装置を提供することであり、前述のカバー本体と組み合わせて、人体の各部分に対して可能な限り良好な換気効果を享受できる。
上記の考案の目的を実現するために、本考案は以下の技術的解決手段を提供する。
【００２１】
空気循環機能付き人体カバーの換気装置は、ハウジングと、上記ハウジングに設けられ上記接続口をクランプできるクランプ構造とを含み、上記クランプ構造は、上記ハウジングに固定接続された固定片と、上記ハウジングに可動に接続された可動片と、上記ハウジングに設けられ、上記可動片が上記固定片から逸脱するのを防止するための位置決め構造とを含み、上記固定片と上記可動片との間にクランプ領域が形成される。
【００２２】
前述のカバー本体と組み合わせて使用する場合、使用中にチャンバの内外の空気の循環を強化し、人体の各部分に対して可能な限り良好な換気効果を享受することに役立つ。
本考案の好ましい態様として、上記位置決め構造は雄ねじであり、上記可動片には、上記雄ねじと係合する雌ねじが設けられる。
可動片と固定片によってカバー本体の接続口をより良くクランプすることに役立つ。
【００２３】
本考案の好ましい態様として、ハウジングを含み、上記ハウジングには、周方向にバックル溝が設けられる。
接続口の縁部を収容するために用いられ、接続口が換気装置に接続された後、接続口が換気装置で不必要に変位することを防ぎ、それにより、カバー本体に対する換気装置の位置決め効果に影響を与える。
【考案の効果】
【００２４】
本考案は以下の有益な効果を有する。すなわち、
１、本考案は、構造が簡単で、実施しやすく、カバー本体の内部と外部との間に強力な空気の循環を実現できるため、人体の各部分に対して可能な限り良好な換気効果を享受できる。
２、換気装置が作動した後、カバー本体は空気流によって駆動され、浮いた状態になり、それにより、人体の対応する部分が流れる空気に置かれ、より快適に感じられ、また、チャンバ内の空気の流れを強化し、人体の各部分に対して良好な空気の循環をさらに享受することに役立つ。
【図面の簡単な説明】
【００２５】
【図１】実施例１によるカバー本体の構造を示す概略図であり、図中の破線は、主に異なる領域を明確に分割するものであり、カバー本体の構造を表すものではなく、また、カバー本体の主な構造を明確に示すために、接続口は図示していない。
【図２】実施例１によるカバー本体の別の実施形態を示す概略図であり、ファスナー、ボタンなどのカバー本体の縁部を互いに接続するために必要な接続構造は図示していない。
【図３】実施例１による接続口の位置を示す概略図であり、図には底部のみが示されている。
【図４】実施例１による換気装置の構造を示す概略図である。
【図５】実施例２による接続口の位置を示す概略図であり、図には底部のみが示されている。
【図６】実施例３による接続口の位置を示す概略図であり、図には底部のみが示されている。
【図７】実施例４による接続口の位置を示す概略図であり、図には底部のみが示されている。
【図８】実施例５による接続口の位置を示す概略図であり、図には底部および中央部のみが示されている。
【図９】実施例７による弾性リングの設置を示す概略図である。
【符号の説明】
【００２６】
図中、１はカバー本体、１１はチャンバ、１１４は正面部分、１２は底部、１２１１は底部本体中央部、１２１２は底部本体側辺、１２２は底部側辺、１２３は底部交差部、１３は中央部、１４は頂部、１４１は開口部、１５は接続口、１５１は中空リング本体、１６は弾性リング、２は換気装置、２１はハウジング、２２１は固定片、２２１１はリブ、２２２は可動片である。
【考案を実施するための形態】
【００２７】
以下、図面を参照して本考案をより詳細に説明する。
特定の実施例は、本考案の単なる例示であり、本考案を限定するものではない。当業者は、本明細書を読んだ後、必要に応じて本実施例に対して創造性のない修正を行うことができるが、本考案の実用新案登録請求の範囲内であれば実用新案法によって保護される。
【００２８】
実施例１：空気循環機能付き人体カバーは、一般に睡眠装置であってもよく、図１に示すように、カバー本体１と、カバー本体１に取り付けられた換気装置２とを含む。一般に、換気装置２は２つ設けられるが、１つ、３つまたは３つ以上設けられてもよい。以下は換気装置２が２つの場合について説明するが、図１では換気装置２の図示を省略し、その構造を図４に示す。
【００２９】
図１に示すように、カバー本体１は、一端に開口部１４１を有する袋状の物体であり、その内部は人体を覆うためのチャンバ１１であり、チャンバ１１を図３に示す。使用時、人体は開口部１４１からチャンバ１１に進入し、一般に、開口部１４１とは対向するカバー本体１の一端は閉じられている。
【００３０】
換気装置２は、外気をチャンバ１１に導入することができ、チャンバ１１内の空気は開口部１４１から排出され、それにより、チャンバ１１内に位置する人体の各部分に対して良好な空気の循環効果を享受することに役立つ。
別の実施形態では、図２に示すように、カバー本体１は、展開状態でワンピースのシート状体であってもよく、必要に応じてファスナーやボタンなどの接続方法によって人体を覆うためのチャンバ１１に形成されてもよい。
【００３１】
一般に、カバー本体１の材料は柔軟な布地である。
図１に示すように、人体がチャンバ１１に入った状態では、カバー本体１は、人体の上方に位置する正面部分１１４と、体の下で押される図には示していない背部とを含む。
図１に示すように、カバー本体１は、人体の足から頭部に向かう方向に、底部１２、中央部１３、頂部１４に分けられ、頂部１４に開口部１４１が設けられる。
【００３２】
一般に、底部１２は、足裏から脛までの領域をカバーする。中央部１３は、股から腰までの領域をカバーする。頂部１４は、胸から肩までの領域をカバーする。各部のカバー領域は、人体の身長、チャンバに入る人体の特定の位置、およびカバー本体１のサイズなどによって異なる。
【００３３】
図１に示すように、底部１２は、人体の足裏部分に面する底部本体部と、人体の足側部に面する底部側辺１２２とを含む。底部本体部は図示していない。
底部本体部は、底部本体中央部１２１１と、底部本体中央部１２１１の両側にそれぞれ位置する底部本体側辺１２１２とを含む。
底部交差部１２３は、底部本体部と底部側辺１２２との間に形成される。
【００３４】
図３に示すように、底部本体中央部１２１１には、２つの接続口１５が設けられる。
図４に示すように、換気装置２は、一般にファンまたは小型扇風機であり、それ自体で供給でき、またはモバイルバッテリーから換気装置２へ電力を供給できる。換気装置２はハウジング２１を含み、ハウジング２１は、接続口１５をクランプできるクランプ構造を備え、クランプ構造は、ハウジング２１に固定接続される固定片２２１を含み、固定片２２１は、環状であり、ハウジング２１に一体的に形成されてもよく、ねじによりハウジング２１に固定されてもよい。
【００３５】
クランプ構造は、ハウジング２１に可動に接続され、固定片２２１と係合して接続口１５をクランプするための可動片２２２を含み、ハウジング２１には、可動片２２２が固定片２２１から逸脱するのを防止する位置決め構造が設けられる。
固定片２２１と可動片２２２との間に、接続口１５の縁部をクランプするためのクランプ領域が形成される。
位置決め構造は、チャック構造などであってもよい。本実施例において、位置決め構造は雄ねじであり、可動片２２２には、雄ねじと係合する雌ねじが設けられ、雄ねじと雌ねじは図示していない。
【００３６】
固定片２２１と接続口１５の縁部と間の摩擦を高めるために、固定片２２１にはリブ２２１１が設けられ、リブ２２１１の長手方向は固定片２２１の内部に向けられ、すなわち、リブ２２１１の長手方向は固定片２２１または可動片２２２の周方向と交差し、一般的に、リブ２２１１の長手方向は固定片２２１の中央領域に向けられる。
【００３７】
使用時、人体は開口部１４１からチャンバ１１に入り、換気装置２が作動し、換気装置２により、外気が底部本体中央部１２１１からチャンバ１１に導入され、チャンバ１１内の空気が開口部１４１から排出され、空気流は常に人体の足から人体の肩に流れ、チャンバ１１内に位置する人体の各部は、背部に押し付けられる部分を除いて、良好な換気効果を享受することができるようにし、さらに、カバー本体１の柔軟な状態により、カバー本体１の正面部分１１４は上に膨らんで浮いた状態になり、空気の循環がさらに促進され、人体の対応する部分が空気流に置かれ、より快適に感じられる。
【００３８】
実施例２：実施例１との相違点は、図５に示すように、換気装置２によって導入された風が足裏に直接吹き付けられるのを防ぐために、接続口１５が底部本体側辺１２１２に設けられることである。
実施例３：実施例１との相違点は、図６に示すように、接続口１５が底部側辺１２２に設けられることである。
実施例４：実施例１との相違点は、図７に示すように、接続口１５が底部交差部１２３に設けられることである。
実施例５：実施例１との相違点は、図８に示すように、接続口１５が中央部１３に設けられることである。
【００３９】
実施例６：実施例１〜５のいずれかとの相違点は、換気装置２がチャンバ１１内の空気をチャンバ１１外へ引き出せることである。
実施例７：実施例１〜６のいずれかとの相違点は、接続口１５の縁部に、接続口１５を換気装置２の周面に締め付けるための弾性リング１６が設けられ、弾性リング１６はゴムストリップなどの弾性部材であってもよく、接続口１５の縁部に、弾性リング１６が挿入される中空リング本体１５１が設けられることである。
実施例８：実施例７との相違点は、換気装置２のハウジング２１に、弾性リング１６を取り付けるためのバックル溝（図示せず）が設けられることである。
実施例９：実施例１との相違点は、底部本体中央部１２１１、底部本体側辺１２１２、底部側辺１２２、底部交差部１２３、中央部１３のいずれか二箇所に接続口１５がそれぞれ設けられることである。
【００４０】
実施例１０：実施例１との相違点は、頂部１４の両側に人体の腕を覆うための部分がそれぞれ設けられることである。
実施例１１：実施例１との相違点は、人体がチャンバ１１に入って、換気装置２が作動すると、換気装置２の導風方向は正面部分１１４に向き、この状態で、正面部分１１４の表面積は常に背部の表面積よりも大きくなることである。
【図１】
0003224227.tif 000003
【図２】
0003224227.tif 000004
【図３】
0003224227.tif 000005
【図４】
0003224227.tif 000006
【図５】
0003224227.tif 000007
【図６】
0003224227.tif 000008
【図７】
0003224227.tif 000009
【図８】
0003224227.tif 000010
【図９】
0003224227.tif 000011